(57)【特許請求の範囲】
【請求項１】
ファン（３５）と、
前記ファンの吹出口（５１ａ）が形成されたケーシング（５０）と、
前記吹出口に対し前記ファンの吹き出し方向前方に配置され、前記ケーシングと対向する第１面（６１ａ）を有する、樹脂製の吹出グリル（６０，２６０）と、
を備えた冷凍装置（１）の室外ユニット（２０）であって、
前記吹出グリルは、前記吹出グリルの下部に、前記室外ユニット運搬時に運搬者に把持される、前記運搬者の手指の接触面（６６ａ，２６６ａ）に滑り止め（６７，２６７）が形成された把手部（６６，２６６）を有し、
前記吹出グリルには、前記接触面に対向する部分に開口（ＯＰ）が形成され、
前記接触面は、前記第１面の一部であり、前記ケーシングに対向し、
前記吹出グリルには、前記第１面と、前記第１面の周縁から前記ケーシングに向かって延びる周縁面（６２ｂ）とに囲まれ、前記吹出口から吹き出す風が通過する通風空間（Ｓ３）が形成され、
前記把手部は、前記第１面と前記ケーシングとの間であって、前記通風空間の外に形成される把持空間（Ｓ４）に、前記運搬者が前記手指を挿入して把持するものである、
室外ユニット。
【請求項２】
前記滑り止めは、前記接触面に形成された凹凸である、
請求項１に記載の室外ユニット。
【請求項３】
前記凹凸は、前記接触面に設けられた半球状の突起（６７）により形成される、
請求項２に記載の室外ユニット。
【請求項４】
前記凹凸は、前記接触面に設けられた溝（２６７）により形成される、
請求項２に記載の室外ユニット。
【発明の詳細な説明】
【技術分野】
【０００１】
本発明は、冷凍装置の室外ユニットに関する。
【背景技術】
【０００２】
冷凍装置の室外ユニットに、室外ユニット運搬時に手指を引っ掛けるための把手部が設けられることがある。
【０００３】
特に、最近ではケーシングが小型化し、ケーシングの自由な位置に把手部を設けることが難しい場合があることから、特許文献１（特開平１１−１０８３９８号公報）のように、吹出グリル下部に把手部を設け、室外ユニットの運搬作業性を高めた構成が知られている。
【発明の概要】
【発明が解決しようとする課題】
【０００４】
ところが、特許文献１のように、把手部を吹出グリルに設けて運搬作業性を高めた場合であっても、室外ユニットは重量物であり、また吹出グリルは一般に平滑な樹脂等で製造されることが多いことから、運搬者の手指が滑り、運搬者が誤って室外ユニットを落としてしまうなどの問題が発生するおそれがあることを、本願発明者は見い出した。
【０００５】
本発明の課題は、室外ユニットの運搬時に、運搬者が室外ユニットを落下させるなどの事故を発生させにくい冷凍装置の室外ユニットを提供することにある。
【課題を解決するための手段】
【０００６】
本発明の第１観点に係る冷凍装置の室外ユニットは、ファンと、ケーシングと、樹脂製の吹出グリルと、を備える。ケーシングには、ファンの吹出口が形成されている。吹出グリルは、吹出口に対しファンの吹き出し方向前方に配置され、ケーシングと対向する第１面を有する。吹出グリルは、吹出グリルの下部に、室外ユニット運搬時に運搬者に把持される、運搬者の手指の接触面に滑り止めが形成された把手部を有する。吹出グリルには、接触面に対向する部分に開口が形成される。接触面は、第１面の一部であり、ケーシングに対向する。吹出グリルには、第１面と、第１面の周縁からケーシングに向かって延びる周縁面とに囲まれ、吹出口から吹き出す風が通過する通風空間が形成される。把手部は、第１面とケーシングとの間であって、通風空間の外に形成される把持空間に、運搬者が手指を挿入して把持するものである。
【０００７】
ここでは、把手部に滑り止めが施されているため、運搬者が手指を滑らせすることが少なくなり、安全に室外ユニットを運搬することができる。
【０００８】
また、ここでは、樹脂製の吹出グリルにおいて接触面に対向する部分に開口が形成され、接触面はケーシングに対向しているため、吹出グリルが接触面と対向する面を有する場合に比べ、一体成形が容易である。
【０００９】
また、ここでは、把手部は、ケーシングと対向する吹出グリルの第１面、すなわち、吹出グリルの背面に設けられるので、室外ユニット正面からは把手部が見えず、把手部が室外ユニットの外観に悪影響を与えない。
【００１０】
また、ここでは、把持空間は通風空間とは隔てられた空間であるため、室外ユニット運転中に使用者等が把持空間に手指を挿入しても、ファンと手指とが接触して怪我をすることがない。
【００１１】
本発明の第２観点に係る冷凍装置の室外ユニットは、第１観点に係る冷凍装置の室外ユニットにおいて、滑り止めは接触面に形成された凹凸である、
ここでは、接触面に凹凸を形成することで、運搬者の手指が滑りにくい把手部を実現できる。
【００１２】
本発明の第３観点に係る冷凍装置の室外ユニットは、第２観点に係る冷凍装置の室外ユニットにおいて、接触面の凹凸は、接触面に設けられた半球状の突起により形成される、
ここでは、接触面に半球状の突起により、運搬者の手指が滑りにくい把手部を実現しやすい。
【００１３】
本発明の第４観点に係る冷凍装置の室外ユニットは、第２観点に係る冷凍装置の室外ユニットにおいて、接触面の凹凸は、接触面に設けられた溝により形成される。
【００１４】
ここでは、簡単な構成で、運搬者の手指が滑りにくい構造が実現できる。
【発明の効果】
【００１５】
本発明の第１観点に係る冷凍装置の室外ユニットでは、把手部に滑り止めが施されているため、運搬者が手指を滑らせすることなく室外ユニットを運搬しやすい。また、ここでは、把手部を設けた樹脂製のファングリルを容易に一体成形可能である。また、ここでは、室外ユニット正面から把手部が見えず、把手部が室外ユニットの外観に悪影響を与えない。また、ここでは、室外ユニット運転中に使用者等が把持空間に手指を挿入しても、ファンと手指とが接触して怪我をすることがない。
【００１６】
本発明の第２観点から第４観点に係る冷凍装置の室外ユニットでは、運搬者の手指の滑りが発生しにくく、安全に室外ユニットを運搬できる。
【図面の簡単な説明】
【００１７】
【図１】本発明の一実施形態に係る冷凍装置の室外ユニットが採用された空気調和装置の概略の冷媒回路図である。
【図２】本発明の一実施形態に係る冷凍装置の室外ユニットの概略斜視図である。
【図３】本発明の一実施形態に係る冷凍装置の室外ユニットの天板を取り除いた状態での概略平面図である。
【図４】室外熱交換器の概略斜視図である。同一部材については、一部の参照符号を省略している。
【図５】室外熱交換器の扁平多孔管および差込フィンを鉛直方向に切断したときの部分拡大図である。同一部材については、一部の参照符号を省略している。
【図６】本発明の一実施形態に係る冷凍装置の室外ユニットのファングリルを背面側（ケーシングの前板側）から見たときの概略斜視図である。同一部材については、一部の参照符号を省略している。
【図７】図６のVII矢視における拡大断面図である。
【図８】図６のVIII部の把手部の拡大図である。
【図９】本発明の一実施形態に係る冷凍装置の室外ユニットの運搬者により運搬状態を示す図である。
【図１０】本発明の変形例Ｂに係る冷凍装置の室外ユニットの把手部の拡大図である。
【発明を実施するための形態】
【００１８】
以下、図面を参照しながら、本発明の実施形態について説明する。
【００１９】
本実施形態の冷凍装置の室外ユニットは、空気調和装置の室外ユニットとして利用される。
【００２０】
（１）空気調和装置の概要
（１−１）全体構成
空気調和装置１は、いわゆるセパレートタイプの空気調和装置であり、図１に示すように、室外ユニット２０と、室内ユニット４０と、室外ユニット２０と室内ユニット４０とを接続する液冷媒連絡配管７１およびガス冷媒連絡配管７２とを有する。
【００２１】
（１−２）室内ユニット
室内ユニット４０は、空気調和の対象である室内に設置される。室内ユニット４０は、主に、室内熱交換器４１と、室内ファン４２とを有する。
【００２２】
室内熱交換器４１は、伝熱管と多数の伝熱フィンとにより構成されたクロスフィン式のフィン・アンド・チューブ型熱交換器である。冷房運転時には冷媒の蒸発器として機能して室内空気を冷却し、暖房運転時には冷媒の凝縮器として機能して室内空気を加熱する。室内熱交換器４１の液側は液冷媒連絡配管７１に接続され、室内熱交換器４１のガス側はガス冷媒連絡配管７２に接続される。
【００２３】
室内ファン４２は、図示しないモータにより回転され、室内空気を取り込んで室内熱交換器４１に送風し、室内熱交換器４１と室内空気との熱交換を促進する。
【００２４】
（１−３）室外ユニット
図１に室外ユニット２０内の冷媒回路を、図２に室外ユニット２０の概観斜視図を示す。室外ユニット２０は、室外に設置される横吹き型の室外ユニットである。室外ユニット２０は、主に、アキュムレータ２１、圧縮機２３、四路切換弁２４、室外熱交換器２５、膨張弁２６、液側閉鎖弁２７、ガス側閉鎖弁２８、および室外ファン３５を、ケーシング５０内に有する。アキュムレータ２１、圧縮機２３、四路切換弁２４、室外熱交換器２５、膨張弁２６、液側閉鎖弁２７、および、ガス側閉鎖弁２８は、冷媒配管により接続される。冷媒配管による接続については後述する。
【００２５】
なお、室外ファン３５の吹出し側に配置されるケーシング５０の前板５１には、図３に示すように、室外ファン３５から送風される空気の吹出口５１ａが形成される。吹出口５１ａは円形の開口である。吹出口５１ａの開口の周縁部からは、ケーシング５０の内側に向かって突出するベルマウス６５が設けられる。吹出口５１ａのケーシング５０外側には、吹出口５１ａ全体を覆う吹出グリル６０が取り付けられる。
【００２６】
（２）室外ユニットの詳細説明
以下の説明で、「上」、「下」、「左」、「右」、「前」、「後」、「正面」、「背面」等の方向を示す表現を用いているが、特に断りのない場合、吹出グリル６０の配置される前板５１を室外ユニット２０の正面として、正面側から見た場合の方向を示す。
【００２７】
（２−１）冷媒配管による接続
圧縮機２３の吸入口と四路切換弁２４とは、吸入管８１によって接続される。吸入管８１には、圧縮機２３の吸入口と四路切換弁２４との間に、アキュムレータ２１が設けられる。圧縮機２３の吐出口と四路切換弁２４とは、吐出管８２によって接続される。四路切換弁２４と室外熱交換器２５のガス側とは、第１ガス冷媒管８３によって接続される。室外熱交換器２５と液側閉鎖弁２７とは、液冷媒管８４によって接続される。液冷媒管８４には、室外熱交換器２５と液側閉鎖弁２７との間に、膨張弁２６が設けられる。液側閉鎖弁２７は、液冷媒連絡配管７１に接続される。四路切換弁２４とガス側閉鎖弁２８とは、第２ガス冷媒管８５によって接続される。ガス側閉鎖弁２８は、ガス冷媒連絡配管７２に接続される。
【００２８】
（２−２）圧縮機
圧縮機２３はガス冷媒を吸入し、ガス冷媒を圧縮する。圧縮機２３は容積式圧縮機である。
【００２９】
（２−３）四路切換弁
四路切換弁２４は、空気調和装置１の冷房運転と暖房運転との切換時に、冷媒の流れ方向を切り換える。冷房運転時には吐出管８２と第１ガス冷媒管８３とを接続するとともに吸入管８１と第２ガス冷媒管８５とを接続する。一方、暖房運転時には吐出管８２と第２ガス冷媒管８５とを接続するとともに吸入管８１と第１ガス冷媒管８３とを接続する。
【００３０】
（２−４）アキュムレータ
アキュムレータ２１は、冷媒を気相と液相とに分離する気液分離機能を有する。アキュムレータ２１に流入する冷媒は、液相と気相とに分離され、上部空間に集まる気相の冷媒は圧縮機２３に供給される。
【００３１】
（２−５）室外熱交換器
室外熱交換器２５は、室外空気との熱交換によって内部を流れる冷媒を凝縮又は蒸発させる。室外熱交換器２５は、全てがアルミニウム製又はアルミニウム合金製である。室外熱交換器２５は、ケーシング５０を含む鋼製部材と直接接触することがないよう、鋼製部材と適切なスペースを空けて、又は、樹脂部材等を鋼製部材と室外熱交換器２５との間に設置して、ケーシング５０内に配置される。
【００３２】
後述する室外ファン３５によりケーシング５０外から取り込まれた室外空気は、室外熱交換器２５を通過したのち、ケーシング５０に形成された吹出口５１ａからケーシング外へ排出される。
【００３３】
室外熱交換器２５は、扁平多孔管９３、差込フィン９４およびヘッダ９１，９２を有する。図４は、室外熱交換器２５の概略斜視図である。
【００３４】
室外熱交換器２５は、図３のように、ケーシング５０の背面側に沿って、後述する仕切板５８の端部付近から左方に延び、ケーシング５０の左後方角部付近でその方向を変え、後述する左側板５４に沿って前方に延びる。
【００３５】
図５は、扁平多孔管９３および差込フィン９４を鉛直方向に切断したときの部分拡大図である。扁平多孔管９３は、伝熱面となる上下の平面部と、冷媒が流れる複数の内部流路９３ａとを有している。扁平多孔管９３は、平面部を上下に向けた状態で、間隔をあけて複数段配列される。差込フィン９４は、図５に示す形状のフィンであり、扁平多孔管９３に接している。両ヘッダ９１，９２の間に配列された複数段の扁平多孔管９３に対して差込フィン９４を差し込めるように、差込フィン９４には、水平に細長く延びる複数の切り欠き９４ａが形成されている。これらの差込フィン９４の切り欠き９４ａの形状は、図５に示すように、扁平多孔管９３の断面の外形にほぼ一致している。
【００３６】
ヘッダ９１，９２は、上下方向に複数段配列された扁平多孔管９３の両端に連結される。ヘッダ９１，９２は、扁平多孔管９３を支持する機能と、冷媒を扁平多孔管９３の内部流路９３ａに導く機能と、内部流路９３ａから出てきた冷媒を集合させる機能とを有している。
【００３７】
（２−６）膨張弁
膨張弁２６は、冷媒圧力や冷媒流量の調節を行うために設けられ、冷房運転時および暖房運転時のいずれにおいても、冷媒を膨張させる機能を有する。
【００３８】
（２−７）閉鎖弁
液側閉鎖弁２７およびガス側閉鎖弁２８は、それぞれ、液冷媒連絡配管７１およびガス冷媒連絡配管７２に接続される。通常運転時においては、両閉鎖弁２７，２８は開いた状態にある。
【００３９】
（２−８）室外ファン
室外ファン３５は、水平方向に送風するファンである。室外ファン３５は、モータ３５ａにより回転され、室外空気をケーシング５０の外部から取り込む。取り込まれた室外空気は、室外熱交換器２５を通過したのち、ケーシング５０に形成された吹出口５１ａからケーシング５０の外へ排出される。すなわち、室外ファン３５が回転することで、概ね図３中の矢印のように空気が移動する。
【００４０】
（２−９）ケーシング
ケーシング５０は、主に鋼製である。ケーシング５０は、前板５１と左側板５４とが一体に形成された左ケーシング部材１５１、底板５２、右前板５５、右後板５６、天板５７、および仕切板５８から構成される。
【００４１】
（２−９−１）左ケーシング部材
左ケーシング部材１５１は、平面視において略Ｌ字形状に形成される板状部材であり、前板５１と左側板５４とが一体に成形されている。左ケーシング部材１５１は、底板５２から天板５７まで略鉛直上方に延びる。左ケーシング部材１５１と、底板５２および天板５７とは、それぞれネジ等により固定される。
【００４２】
前板５１は、ケーシング５０の左側正面を構成する板状部材である。前板５１には、室外ファン３５から送風される空気の吹出口５１ａが形成されている。吹出口５１ａは円形の開口である。吹出口５１ａの開口の周縁部からは、ケーシング５０の内側に向かって突出するベルマウス６５が設けられる。吹出口５１ａのケーシング５０外側には、吹出グリル６０が取り付けられる。
【００４３】
左側板５４は、ケーシング５０の左側面を構成する部材であり、室外熱交換器２５の前後方向に延びる部分と対面する。左側板５４には、室外ファン３５によってケーシング５０内に吸入される空気の吸入口５４ａが形成される。
【００４４】
（２−９−２）底板
底板５２は、ケーシング５０の下面を構成する略直方形状の板状部材である。底板５２の周縁部には、上向きに延びる図示しない折曲部が設けられている。折曲部には、左ケーシング部材１５１、右前板５５、右後板５６、および仕切板５８がネジ等により固定される。
【００４５】
（２−９−３）右前板
右前板５５は、ケーシング５０の右前面及び右側面の前部を構成する板状部材である。右前板５５は、底板５２から天板５７まで略鉛直上方に延び、底板５２とネジ等により固定される。また、右前板５５の左端部は、左ケーシング部材１５１の前板５１の右端部と、ネジ等により固定される。
【００４６】
なお、右前板５５の右前面の中間高さ位置には、室外ユニット２０の運搬時に、運搬者が把持するための把手部１５５が形成される。
【００４７】
（２−９−４）右後板
右後板５６は、ケーシング５０の右背面及び右側面の後部を構成する板状部材である。右後板５６は、底板５２から天板５７まで略鉛直上方に延び、底板５２および天板５７と、それぞれネジ等により固定される。左ケーシング部材１５１の左側板５４の後端部と、右後板５６の背面側端部との左右方向間には、室外ファン３５によってケーシング５０内に吸入される空気の吸入口５３ａが形成される。
【００４８】
なお、右後板５６の右前面の中間高さ位置には、室外ユニット２０の運搬時に、運搬者が把持するための把手部１５６が形成される。
【００４９】
（２−９−５）天板
天板５７は、ケーシング５０の上面を構成する略直方形状の板状部材である。天板５７の周縁部は、下向きに折り曲げられた折曲部５７ａを有する。折曲部には、左ケーシング部材１５１および右後板５６がネジ等により固定される。
【００５０】
（２−９−６）仕切板
仕切板５８は、ケーシング５０の底板５２から天板５７まで略鉛直上方に延びる板状部材である。仕切板５８は、その下部が底板５２とネジ等により固定される。仕切板５８は、図３に示すように、平面視において弧状の形状を有する。仕切板５８は、ケーシング５０の内部を送風機室Ｓ１と、機械室Ｓ２とに分割する。
【００５１】
送風機室Ｓ１は、左ケーシング部材１５１および仕切板５８に側面を囲まれて形成された空間であり、主に室外ファン３５および室外熱交換器２５が配置される。機械室Ｓ２は、右前板５５、右後板５６および仕切板５８で側面を囲まれて形成された空間であり、圧縮機２３、四路切換弁２４や、電装ユニット等が配置される。
【００５２】
（２−１０）吹出グリル
吹出グリル６０は、室外ファン３５に人間の手指や異物が接触することを防止する略直方形状のカバー部材である。吹出グリル６０は、樹脂で一体に成形される。吹出グリル６０は、左ケーシング部材１５１の前板５１の吹出口５１ａ全体をカバーするように、ケーシング５０の正面外側に取り付けられる。すなわち、吹出グリル６０は、ケーシング５０の吹出口５１ａに対し、室外ファン３５から吹き出す空気の吹き出し方向に取り付けられる。
【００５３】
図６から図８を用いてさらに詳しく説明する。
【００５４】
吹出グリル６０は、室外ファン３５と対向し室外ファン３５をカバーするカバー部６１およびカバー部６１の周縁から前板５１に向かって延びる周縁部６２を有するグリル本体部６３と、グリル本体部６３の上面６２ａから、前板５１の平面部に沿って上方に延びる延伸部６４と、吹出グリル６０の左側下部に配置される把手部６６とを有する。カバー部６１の背面６１ａと周縁部６２の内面６２ｂとで囲まれて形成される空間は、室外ファン３５により送風される空気が通過する通風空間Ｓ３である。把手部６６は、室外ユニット２０の運搬時に、運搬者が把持する部分である。
【００５５】
（２−１０−１）延伸部
延伸部６４は、図６のように、グリル本体部６３の上面６２ａの左右方向に、ほぼ全体に亘って設けられる。延伸部６４は、図７のように、室外ファン３５の吹き出し方向、すなわち、室外ユニット２０の正面方向に突出する横溝が形成された横溝部１６１を有する。また、延伸部６４は、横溝部１６１の上端から前板５１に向かって斜め上方に延びる折曲部１６２を有する。
【００５６】
横溝部１６１の横溝は、水平方向に延び、延伸部６４のほぼ全面に亘って形成される。横溝部１６１は、前板５１と略平行に、略鉛直上方に延びる対向面１６１ａを有し、対向面１６１ａのほぼ全面に亘ってシール材１６５が貼付されて固定される。横溝部１６１の鉛直方向の幅は約１０ｍｍである。シール材１６５は、ゴム等で作られたガスケットである。
【００５７】
吹出グリル６０は、グリル本体部６３の４つの取付部１６３にそれぞれ設けられた爪部１６４を、前板５１に形成された対応する図示しない角穴に差し込むと共に、グリル本体部に形成された丸穴１６３ａに図示しないネジを挿入し、前板５１に形成された図示しないネジ穴にネジをねじ込んで固定することで、前板５１に取り付けられる。グリル本体部６３を前板５１に固定する際にネジを締め付けることで、横溝部１６１の対向面１６１ａと前板５１との間でシール材１６５が圧縮され、シール材１６５の接触面１６５ａは前板５１の平面部と隙間なく密接する。
【００５８】
（２−１０−２）把手部
把手部６６は、図８に示すように、カバー部６１の背面６１ａの一部に形成された接触面６６ａを有する。吹出グリル６０の把手部６６の接触面６６ａと対向する部分には、開口ＯＰが形成されている。すなわち、接触面６６ａは、ケーシング５０の前板５１と対向する。接触面６６ａは、接触面６６ａの背面側の上方および左右に配置された周縁部６２およびケーシング５０の前板５１と共に、通風空間Ｓ３の外に、通風空間Ｓ３とは分離された把持空間Ｓ４を形成する。把持空間Ｓ４は下方が開いており、運搬者は、下方から手指を挿入し、接触面６６ａを手指で握るように把持する。接触面には、滑り止めとして凹凸が形成されている。より具体的には、半球状の小突起６７が複数形成されており、運搬者が把持する際に、手指が滑りにくい。
【００５９】
なお、室外ユニット２０を二人で運搬する場合には、図９に示すように、一方の運搬者は、把手部６６および室外ユニット２０のケーシング５０の左側背面部の下面を保持する。他方の運搬者は、右前板５５に設けられた把手部１５５および右後板５６に設けられた把手部１５６を保持する。
【００６０】
（３）特徴
（３−１）
本実施形態にかかる空気調和装置１の室外ユニット２０は、室外ファン３５と、ケーシング５０と、吹出グリル６０と、を備える。ケーシング５０には、室外ファン３５の吹出口５１ａが形成されている。吹出グリル６０には、吹出口５１ａに対し室外ファン３５の吹き出し方向前方に配置される。吹出グリル６０は、吹出グリル６０の下部に、室外ユニット２０の運搬時に運搬者に把持される、運搬者の手指の接触面６６ａに凹凸としての小突起６７が滑り止めとして形成された把手部６６を有する。
【００６１】
把手部６６に滑り止めが施されているため、運搬者が手指を滑らせすることが少なくなり、安全に室外ユニット２０を運搬できる。
【００６２】
接触面６６ａには、滑り止めとして凹凸が形成されるので、運搬者の手指が滑りにくい。特に、凹凸が小突起６７により形成されているので、運搬者の手指が滑りにくい。
【００６３】
（３−２）
本実施形態にかかる空気調和装置１の室外ユニット２０は、吹出グリル６０は、樹脂製であり、接触面６６ａに対向する部分に開口ＯＰが形成されている。接触面６６ａは、ケーシング５０の前板５１に対向する面である。
【００６４】
樹脂製の吹出グリル６０が接触面６６ａに対向する面を有し、把手部６６がポケット状になっている場合には、形状的に一体成形が困難であるが、接触面６６ａに開口ＯＰを設け、接触面６６ａを前板５１と対向させたことで、容易に一体成形可能である。
【００６５】
（３−３）
本実施形態にかかる空気調和装置１の室外ユニット２０において、運搬者の手指の接触面６６ａは、ケーシング５０の前板５１に対向するカバー部６１の背面６１ａの一部である。
【００６６】
運搬者の手指の接触面６６ａを、ケーシング５０の前板５１に対向するカバー部６１の背面６１ａの一部とすることで、図９のようにして運搬者が室外ユニット２０を運搬する際に、運搬者は接触面６６ａをしっかりと把持できる。
【００６７】
さらに、接触面６６ａは、カバー部６１の背面６１ａ側なので、目に付きにくく、室外ユニット２０の外観に悪影響を与えない。
【００６８】
（３−４）
本実施形態にかかる空気調和装置１の室外ユニット２０では、吹出グリル６０には、カバー部６１の背面６１ａと、カバー部６１の周縁からケーシング５０の前板５１に向かって延びる周縁部６２の内面６２ｂとに囲まれ、吹出口５１ａから吹き出す風が通過する通風空間Ｓ３が形成される。把手部６６は、カバー部６１とケーシング５０の前板５１との間であって通風空間Ｓ３の外に形成される把持空間Ｓ４に、運搬者が手指を挿入して把持するものである。
【００６９】
把持空間Ｓ４は通風空間Ｓ３と隔てられた空間であるため、室外ユニット２０の運転中に、使用者等が把持空間Ｓ４に手指を挿入しても、室外ファン３５と手指との接触を原因とした怪我が発生しない。
【００７０】
（４）変形例
以下に本実施形態の変形例を示す。なお、複数の変形例を適宜組み合わせてもよい。
【００７１】
（４−１）変形例Ａ
上記の実施形態に示された室外ユニット２０は、空気調和装置１に使用されるものであるが、これに限定されるものではなく、その他の冷凍装置に使用されるものであってもよい。
【００７２】
（４−２）変形例Ｂ
上記の実施形態に示された室外ユニット２０では、運搬者の手指が接触する接触面６６ａの凹凸が半球状の小突起６７により実現されているが、これに限定されるものではなく、滑りが発生しにくい形状の凹凸であればよい。
【００７３】
例えば、図１０のように、吹出グリル２６０の把手部２６６の接触面２６６ａには、左右方向に延びる複数の溝２６６ｂが形成されている。
【００７４】
これにより、吹出グリル２６０においては、簡単な構成で、運搬者の手指が滑りにくい構造が実現できる。
【００７５】
（４−３）変形例Ｃ
上記の実施形態に示された室外ユニット２０では、接触面６６ａの小突起６７は一体に形成されるが、これに限定されるものではない。
【００７６】
例えば、接触面６６ａに別部材の滑り止めを貼付等により固定してもよい。
【符号の説明】
【００７７】
１  空気調和装置（冷凍装置）
２０  室外ユニット
３５  室外ファン（ファン）
５０  ケーシング
５１ａ  吹出口
６０，２６０  吹出グリル
６１  カバー部
６１ａ  背面（第１面）
６２  周縁部
６２ｂ  内面（周縁面）
６６  把手部
６６ａ，２６６ａ  接触面
６７  小突起（滑り止め）
２６６ｂ  溝（滑り止め）
ＯＰ  開口
Ｓ３  通風空間
Ｓ４  把持空間
【先行技術文献】
【特許文献】
【００７８】
【特許文献１】特開平１１−１０８３９８号公報
【図１】
0005729294.tif 000002
【図２】
0005729294.tif 000003
【図３】
0005729294.tif 000004
【図４】
0005729294.tif 000005
【図５】
0005729294.tif 000006
【図６】
0005729294.tif 000007
【図７】
0005729294.tif 000008
【図８】
0005729294.tif 000009
【図９】
0005729294.tif 000010
【図１０】
0005729294.tif 000011